【手続補正書】
【提出日】平成29年8月18日(2017.8.18)
【手続補正１】
【補正対象書類名】特許請求の範囲
【補正対象項目名】全文
【補正方法】変更
【補正の内容】
【特許請求の範囲】
【請求項１】
“−１”、“０”、又は“１”の要素で構成されるターナリプリアンブルシーケンス（ｔｅｒｎａｒｙ  ｐｒｅａｍｂｌｅ  ｓｅｑｕｅｎｃｅ）から、非コヒーレント受信機のための第１のシーケンス及びコヒーレント受信機のための第２のシーケンスを抽出するシーケンス抽出器と、
プリアンブルのビットに前記第１のシーケンス及び前記第２のシーケンスをマッピングして前記非コヒーレント受信機及び前記コヒーレント受信機により支援される第３のシーケンスを生成するシーケンス生成器と、を有することを特徴とする送信機。
【請求項２】
前記第１のシーケンスは“０”又は“１”の要素で構成され、
前記第２のシーケンスは“−１”又は“１”の要素で構成されることを特徴とする請求項１に記載の送信機。
【請求項３】
前記シーケンス抽出器は、前記第１のシーケンスの周期を基準として、前記ターナリプリアンブルシーケンスの要素を絶対値に変換して前記第１のシーケンスを抽出することを特徴とする請求項２に記載の送信機。
【請求項４】
前記シーケンス抽出器は、前記第２のシーケンスの周期を基準として、前記ターナリプリアンブルシーケンスの要素のうちの“０”の要素を“１”の要素に変換して前記第２のシーケンスを抽出することを特徴とする請求項２に記載の送信機。
【請求項５】
前記シーケンス生成器は、前記ビットに前記第１のシーケンスをマッピングする第１のマッパ（ｍａｐｐｅｒ）と、
前記プリアンブルの前記ビットにマッピングされた前記第１のシーケンスに前記第２のシーケンスをマッピングすることによって前記第３のシーケンスを生成するように設定される第２のマッパと、を含むことを特徴とする請求項１に記載の送信機。
【請求項６】
前記第１のマッパは、前記第１のシーケンスの周期によるモジュロカウンタ（ｍｏｄｕｌｏ  ｃｏｕｎｔｅｒ）に基づいて前記第１のシーケンスのインデックスを増加させ、前記インデックスに対応する前記第１のシーケンスの要素を前記プリアンブルのそれぞれのビットにマッピングすることを特徴とする請求項５に記載の送信機。
【請求項７】
前記第２のマッパは、前記第２のシーケンスの周期によるモジュロカウンタに基づいて前記第２のシーケンスのインデックスを増加させ、前記インデックスに対応する前記第２のシーケンスの要素を前記マッピングされた前記第１のシーケンスにマッピングすることを特徴とする請求項５に記載の送信機。
【請求項８】
前記第２のマッパは、前記マッピングされた第１のシーケンスに前記第２のシーケンスを乗算することを特徴とする請求項５に記載の送信機。
【請求項９】
前記第２のマッパは、前記第１のシーケンスの周期と前記第２のシーケンスの周期との比に基づいて前記第１のシーケンスを繰り返して拡張し、拡張された第１のシーケンスに前記第２のシーケンスを乗算することを特徴とする請求項８に記載の送信機。
【請求項１０】
前記シーケンス生成器は、前記プリアンブルの前記ビットに前記第１のシーケンスをマッピングする第１のバイナリマッパと、
前記第２のシーケンスの前記要素をバイナリ値に変換し、前記マッピングされた前記第１のシーケンスに前記変換された第２のシーケンスを連接して前記第３のシーケンスを生成する第２のバイナリマッパと、を含むことを特徴とする請求項２に記載の送信機。
【請求項１１】
前記第２のバイナリマッパは、前記第２のシーケンスの“−１”の要素を“１”に変換して、前記第２のシーケンスの“１”の要素を“０”に変換することを特徴とする請求項１０に記載の送信機。
【請求項１２】
前記第１のシーケンスの周期は、前記第２のシーケンスの周期より短いことを特徴とする請求項５に記載の送信機。
【請求項１３】
前記シーケンス生成器は、前記プリアンブルの前記ビットに対応する基本プリアンブルシーケンスを生成し、前記基本プリアンブルシーケンスを特定した回数で繰り返して前記第３のシーケンスを生成することを特徴とする請求項２に記載の送信機。
【請求項１４】
前記シーケンス生成器は、前記第１のシーケンスの周期と前記第２のシーケンスの周期との比に基づいて前記第１のシーケンスを繰り返して拡張し、拡張された第１のシーケンスを第２のシーケンスと乗算して前記基本プリアンブルシーケンスを生成することを特徴とする請求項１３に記載の送信機。
【請求項１５】
前記プリアンブルのプリアンブルフォーマットは、第１プリアンブルフォーマットＰ１又は第２プリアンブルフォーマットＰ２の内の１つであり、
前記基本プリアンブルシーケンスは、前記第１プリアンブルフォーマットＰ１及び第２プリアンブルフォーマットＰ２によって、基本プリアンブルパターン及び繰り返し回数を有することを特徴とする請求項１３に記載の送信機。
【請求項１６】
前記第１のシーケンス、前記第１のシーケンスの周期、前記第２のシーケンス、前記第２のシーケンスのそれぞれの周期は、前記第１プリアンブルフォーマットＰ１及び第２プリアンブルフォーマットＰ２とそれぞれ関連する値を有することを特徴とする請求項１５に記載の送信機。
【請求項１７】
前記第３のシーケンスを含むプリアンブルフィールド、ＳＦＤフィールド、ＰＨＲフィールド、及びＰＳＤＵフィールドを含む送信フレームを前記非コヒーレント受信機又は前記コヒーレント受信機の内の前記少なくとも１つに送信するフレーム送信機をさらに有することを特徴とする請求項１に記載の送信機。
【請求項１８】
シーケンスを抽出する装置であって、
前記シーケンスを抽出する装置はマイクロプロセッサを有し、
前記マイクロプロセッサは、“−１”、“０”、又は“１”の要素で構成されるターナリプリアンブルシーケンスを取得するターナリプリアンブルシーケンス取得器と、
前記ターナリプリアンブルシーケンスから“０”又は“１”の要素で構成されて、非コヒーレント受信機のための第１のシーケンスを抽出する第１のシーケンス抽出器と、
“−１”又は“１”の要素で構成されて、コヒーレント受信機のための第２のシーケンスを抽出する第２のシーケンス抽出器と、を有することを特徴とするシーケンス抽出装置。
【請求項１９】
前記第１のシーケンス抽出器は、前記第１のシーケンスの周期を基準として、前記ターナリプリアンブルシーケンスの要素を絶対値に変換して前記第１のシーケンスを抽出することを特徴とする請求項１８に記載のシーケンス抽出装置。
【請求項２０】
前記第２のシーケンス抽出器は、前記第２のシーケンスの周期を基準として、前記ターナリプリアンブルシーケンスの要素のうちの“０”の要素を“１”の要素に変換して前記第２のシーケンスを抽出することを特徴とする請求項１８に記載のシーケンス抽出装置。
【請求項２１】
前記第１のシーケンス及び前記第２のシーケンスを格納する格納器をさらに有することを特徴とする請求項１８に記載のシーケンス抽出装置。
【請求項２２】
シーケンスを生成する装置であって、
前記シーケンスを生成する装置はマイクロプロセッサを有し、
前記マイクロプロセッサは、プリアンブルの少なくとも１つのビットごとに、“０”又は“１”の要素で構成されて、非コヒーレント受信機のための第１のシーケンスをマッピングする第１のマッパと、
前記プリアンブルにマッピングされた前記第１のシーケンスに、“−１”又は“１”の要素で構成されて、コヒーレント受信機のための第２のシーケンスをマッピングして前記非コヒーレント受信機及び前記コヒーレント受信機で支援される第３のシーケンスを生成する第２のマッパと、を有することを特徴とするシーケンス生成装置。
【請求項２３】
前記第１のシーケンス及び前記第２のシーケンスは予め格納されることを特徴とする請求項２２に記載のシーケンス生成装置。
【請求項２４】
前記第１のマッパは、前記プリアンブルのビットごとに、前記第１のシーケンスの周期によるモジュロカウンタに基づいて前記第１のシーケンスのインデックスを増加させ、前記インデックスに対応する前記第１のシーケンスの要素を前記プリアンブルの前記ビットにマッピングすることを特徴とする請求項２２に記載のシーケンス生成装置。
【請求項２５】
前記第２のマッパは、前記第２のシーケンスの周期によるモジュロカウンタに基づいて前記第２のシーケンスのインデックスを増加させ、前記インデックスに対応する前記第２のシーケンスの要素を前記マッピングされた第１のシーケンスにマッピングすることを特徴とする請求項２２に記載のシーケンス生成装置。
【請求項２６】
前記第２のマッパは、前記マッピングされた第１のシーケンスに前記第２のシーケンスを乗算することを特徴とする請求項２２に記載のシーケンス生成装置。
【請求項２７】
プリアンブルのプリアンブルフォーマットによって基本プリアンブルパターンを抽出する基本プリアンブル抽出部と、
前記基本プリアンブルパターンを特定した繰り返し回数で繰り返して非コヒーレント受信機及びコヒーレント受信機で支援されるプリアンブルシーケンスを生成するプリアンブルシーケンス生成部と、を有することを特徴とする送信機。
【請求項２８】
前記基本プリアンブル抽出部は、第１プリアンブルフォーマットＰ１又は第２プリアンブルフォーマットＰ２の内のいずれか１つのプリアンブルフォーマットによって、予め格納された表から前記基本プリアンブルパターン及び前記特定した繰り返し回数を抽出することを特徴とする請求項２７に記載の送信機。
【請求項２９】
前記プリアンブルシーケンスを含むプリアンブルフィールド、ＳＦＤフィールド、ＰＨＲフィールド、及びＰＳＤＵフィールドを含む送信フレームを前記非コヒーレント受信機又は前記コヒーレント受信機のうちの少なくとも１つに送信するフレーム送信機をさらに含むことを特徴とする請求項２７に記載の送信機。
【請求項３０】
第１プリアンブルフォーマットＰ１又は第２プリアンブルフォーマットＰ２の内のいずれか１つのプリアンブルフォーマットによって、予め格納された表から、基本プリアンブルパターン及び特定した繰り返し回数を抽出する基本プリアンブル抽出部と、
前記基本プリアンブルパターンを前記特定した繰り返し回数で繰り返して非コヒーレント受信機及びコヒーレント受信機によって支援されるプリアンブルシーケンスを生成するプリアンブルシーケンス生成部と、
前記プリアンブルシーケンスを含むプリアンブルフィールド、ＳＦＤフィールド、ＰＨＲフィールド、及びＰＳＤＵフィールドを含む送信フレームを前記非コヒーレント受信機又は前記コヒーレント受信機のうち少なくとも１つに送信するフレーム送信機と、を有することを特徴とする送信機。
【手続補正２】
【補正対象書類名】明細書
【補正対象項目名】０００４
【補正方法】変更
【補正の内容】
【０００４】
本発明の一実施態様に係る送信機は、“−１”、“０”、又は“１”の要素で構成されるターナリプリアンブルシーケンス（ｔｅｒｎａｒｙ  ｐｒｅａｍｂｌｅ  ｓｅｑｕｅｎｃｅ）から、非コヒーレント受信機のための第１のシーケンス及びコヒーレント受信機のための第２のシーケンスを抽出するシーケンス抽出器と、プリアンブルのビットに前記第１のシーケンス及び前記第２のシーケンスをマッピングして前記非コヒーレント受信機及び前記コヒーレント受信機により支援される第３のシーケンスを生成するシーケンス生成器と、を有することを特徴とする。
【手続補正３】
【補正対象書類名】明細書
【補正対象項目名】０００５
【補正方法】変更
【補正の内容】
【０００５】
前記第１のシーケンスは“０”又は“１”の要素で構成され、前記第２のシーケンスは“−１”又は“１”の要素で構成されることが好ましい。
前記シーケンス抽出器は、前記第１のシーケンスの周期を基準として、前記ターナリプリアンブルシーケンスの要素を絶対値に変換して前記第１のシーケンスを抽出することが好ましい。
前記シーケンス抽出器は、前記第１のシーケンスの周期を基準として、前記ターナリプリアンブルシーケンスの要素を絶対値に変換して前記第１のシーケンスを抽出することが好ましい。
前記シーケンス生成器は、前記ビットに前記第１のシーケンスをマッピングする第１のマッパ（ｍａｐｐｅｒ）と、前記プリアンブルの前記ビットにマッピングされた前記第１のシーケンスに前記第２のシーケンスをマッピングすることによって前記第３のシーケンスを生成するように設定される第２のマッパと、を含むことが好ましい。
【手続補正４】
【補正対象書類名】明細書
【補正対象項目名】０００６
【補正方法】変更
【補正の内容】
【０００６】
前記第１のマッパは、前記第１のシーケンスの周期によるモジュロカウンタ（ｍｏｄｕｌｏ  ｃｏｕｎｔｅｒ）に基づいて前記第１のシーケンスのインデックスを増加させ、前記インデックスに対応する前記第１のシーケンスの要素を前記プリアンブルのそれぞれのビットにマッピングすることが好ましい。
前記第２のマッパは、前記第２のシーケンスの周期によるモジュロカウンタに基づいて前記第２のシーケンスのインデックスを増加させ、前記インデックスに対応する前記第２のシーケンスの要素を前記マッピングされた前記第１のシーケンスにマッピングすることが好ましい。
前記第２のマッパは、前記マッピングされた第１のシーケンスに前記第２のシーケンスを乗算することが好ましい。
前記第２のマッパは、前記第１のシーケンスの周期と前記第２のシーケンスの周期との比に基づいて前記第１のシーケンスを繰り返して拡張し、拡張された第１のシーケンスに前記第２のシーケンスを乗算することが好ましい。
【手続補正５】
【補正対象書類名】明細書
【補正対象項目名】０００７
【補正方法】変更
【補正の内容】
【０００７】
前記シーケンス生成器は、前記プリアンブルの前記ビットに前記第１のシーケンスをマッピングする第１のバイナリマッパ（ｂｉｎａｒｙ  ｍａｐｐｅｒ）と、前記第２のシーケンスの要素をバイナリ値（ｂｉｎａｒｙ  ｖａｌｕｅ）に変換し、前記マッピングされた前記第１のシーケンスに前記変換された第２のシーケンスを連接（ａｇｇｒｅｇａｔｉｏｎ）して前記第３のシーケンスを生成する第２のバイナリマッパとを含むことが好ましい。
前記第２のバイナリマッパは、前記第２のシーケンスの“−１”の要素を“１”に変換して、前記第２のシーケンスの“１”の要素を“０”に変換することが好ましい。
前記第１のシーケンスの周期は、前記第２のシーケンスの周期より短いことが好ましい。
前記シーケンス生成器は、前記プリアンブルの前記ビットに対応する基本プリアンブルシーケンスを生成し、前記基本プリアンブルシーケンスを特定した回数で繰り返して前記第３のシーケンスを生成することが好ましい。
前記シーケンス生成器は、前記第１のシーケンスの周期と前記第２のシーケンスの周期との比に基づいて前記第１のシーケンスを繰り返して拡張し、拡張された第１のシーケンスを第２のシーケンスと乗算して前記基本プリアンブルシーケンスを生成することが好ましい。
【手続補正６】
【補正対象書類名】明細書
【補正対象項目名】０００８
【補正方法】変更
【補正の内容】
【０００８】
前記プリアンブルのプリアンブルフォーマットは、第１プリアンブルフォーマットＰ１又は第２プリアンブルフォーマットＰ２の内の１つであり、前記基本プリアンブルシーケンスは、前記第１プリアンブルフォーマットＰ１及び第２プリアンブルフォーマットＰ２によって、基本プリアンブルパターン及び繰り返し回数を有することが好ましい。
【手続補正７】
【補正対象書類名】明細書
【補正対象項目名】０００９
【補正方法】変更
【補正の内容】
【０００９】
前記第１のシーケンス、前記第１のシーケンスの周期、前記第２のシーケンス、前記第２のシーケンスのそれぞれの周期は、前記第１プリアンブルフォーマットＰ１及び第２プリアンブルフォーマットＰ２とそれぞれ関連する値を有することが好ましい。
【手続補正８】
【補正対象書類名】明細書
【補正対象項目名】００１０
【補正方法】変更
【補正の内容】
【００１０】
前記第３のシーケンスを含むプリアンブルフィールド、ＳＦＤ（Ｓｔａｒｔ  Ｆｒａｍｅ  Ｄｅｌｉｍｉｔｅｒ）フィールド、ＰＨＲ（Ｐｈｙｓｉｃａｌ  ｌａｙｅｒ  Ｈｅａｄｅｒ）フィールド、及びＰＳＤＵ（Ｐｈｙｓｉｃａｌ  Ｓｅｒｖｉｃｅ  Ｄａｔａ  Ｕｎｉｔ）フィールドを含む送信フレームを前記非コヒーレント受信機又は前記コヒーレント受信機のうちの前記少なくとも１つに送信するフレーム送信機をさらに有することが好ましい。
【手続補正９】
【補正対象書類名】明細書
【補正対象項目名】００１１
【補正方法】変更
【補正の内容】
【００１１】
本発明の一実施態様に係るシーケンス抽出装置は、シーケンスを抽出する装置であって、前記シーケンスを抽出する装置はマイクロプロセッサを有し、前記マイクロプロセッサは、“−１”、“０”、又は“１”の要素で構成されるターナリプリアンブルシーケンスを取得するターナリプリアンブルシーケンス取得器と、前記ターナリプリアンブルシーケンスから“０”又は“１”の要素で構成されて、コヒーレント受信機のための第１のシーケンスを抽出する第１のシーケンス抽出器と、“−１”又は“１”の要素で構成されて、コヒーレント受信機のための第２のシーケンスを抽出する第２のシーケンス抽出器と、を有することを特徴とする。
【手続補正１０】
【補正対象書類名】明細書
【補正対象項目名】００１３
【補正方法】変更
【補正の内容】
【００１３】
本発明の一実施態様に係るシーケンス生成装置は、シーケンスを生成する装置であって、前記シーケンスを生成する装置はマイクロプロセッサを有し、前記マイクロプロセッサは、プリアンブルの少なくとも１つのビットごとに、“０”又は“１”の要素で構成され、非コヒーレント受信機のための第１のシーケンスをマッピングする第１のマッパと、前記プリアンブルにマッピングされた前記第１のシーケンスに、“−１”又は“１”の要素で構成され、コヒーレント受信機のための第２のシーケンスをマッピングして前記非コヒーレント受信機及び前記コヒーレント受信機で支援される第３のシーケンスを生成する第２のマッパとを有することを特徴とする。
【手続補正１１】
【補正対象書類名】明細書
【補正対象項目名】００１４
【補正方法】変更
【補正の内容】
【００１４】
前記第１のシーケンス及び前記第２のシーケンスは予め格納されることが好ましい。
前記第１のマッパは、前記プリアンブルのビットごとに、前記第１のシーケンスの周期によるモジュロカウンタに基づいて前記第１のシーケンスのインデックスを増加させ、前記インデックスに対応する前記第１のシーケンスの要素を前記プリアンブルの前記ビットにマッピングすることが好ましい。
前記第２のマッパは、前記第２のシーケンスの周期によるモジュロカウンタに基づいて前記第２のシーケンスのインデックスを増加させ、前記インデックスに対応する前記第２のシーケンスの要素を前記マッピングされた前記第１のシーケンスにマッピングすることが好ましい。
前記第２のマッパは、前記マッピングされた前記第１のシーケンスに前記第２のシーケンスを乗算することが好ましい。
【手続補正１２】
【補正対象書類名】明細書
【補正対象項目名】００１５
【補正方法】変更
【補正の内容】
【００１５】
本発明の他の実施態様に係る送信機は、プリアンブルのプリアンブルフォーマットによって基本プリアンブルパターンを抽出する基本プリアンブル抽出部と、前記基本プリアンブルパターンを特定した繰り返し回数で繰り返して非コヒーレント受信機及びコヒーレント受信機で支援されるプリアンブルシーケンスを生成するプリアンブルシーケンス生成部と、を有することを特徴とする。
【手続補正１３】
【補正対象書類名】明細書
【補正対象項目名】００１６
【補正方法】変更
【補正の内容】
【００１６】
前記基本プリアンブル抽出部は、第１プリアンブルフォーマットＰ１又は第２プリアンブルフォーマットＰ２の内のいずれか１つのプリアンブルフォーマットによって、予め格納された表から前記基本プリアンブルパターン及び前記予め決定した繰り返し回数を抽出することが好ましい。
【手続補正１４】
【補正対象書類名】明細書
【補正対象項目名】００１８
【補正方法】変更
【補正の内容】
【００１８】
本発明の他の実施態様に係る送信機は、第１プリアンブルフォーマットＰ１又は第２プリアンブルフォーマットＰ２の内のいずれか１つのプリアンブルフォーマットによって、予め格納された表から、基本プリアンブルパターン及び特定した繰り返し回数を抽出する基本プリアンブル抽出部と、前記基本プリアンブルパターンを前記特定した繰り返し回数で繰り返して非コヒーレント受信機及びコヒーレント受信機によって支援されるプリアンブルシーケンスを生成するプリアンブルシーケンス生成部と、前記プリアンブルシーケンスを含むプリアンブルフィールド、ＳＦＤフィールド、ＰＨＲフィールド、及びＰＳＤＵフィールドを含む送信フレームを前記非コヒーレント受信機又は前記コヒーレント受信機のうち少なくとも１つに送信するフレーム送信機と、を有することを特徴とする。
【手続補正１５】
【補正対象書類名】明細書
【補正対象項目名】００２９
【補正方法】変更
【補正の内容】
【００２９】
非コヒーレント受信機１２０がコヒーレント送信機１１０からパケットを受信する場合、非コヒーレント受信機１２０は、非コヒーレント復調（ｎｏｎｃｏｈｅｒｅｎｔ  ｄｅｍｏｄｕｌａｔｉｏｎ）方式を用いてプリアンブルを復調するため、非コヒーレント受信機１２０は、搬送波信号の互いに異なる位相を区別しない。
したがって、非コヒーレント受信機１２０は、“＋１”の要素と“−１”の要素を区別しないため、プリアンブルのターナリプリアンブルシーケンスをユニポーラプリアンブルシーケンスとして認知する。
コヒーレント受信機１３０がコヒーレント送信機１１０からパケットを受信する場合、コヒーレント受信機１３０は、コヒーレント復調（ｃｏｈｅｒｅｎｔ  ｄｅｍｏｄｕｌａｔｉｏｎ）方式を用いてプリアンブルを復調するため、非コヒーレント受信機１２０とは違って、プリアンブルのターナリプリアンブルシーケンスをターナリプリアンブルシーケンスとして認知する。
【手続補正１６】
【補正対象書類名】明細書
【補正対象項目名】００３９
【補正方法】変更
【補正の内容】
【００３９】
非コーレント可変拡散因子シーケンス（ｎｏｎ−ｃｏｈｅｒｅｎｔ  ｖａｒｉａｂｌｅ  ｓｐｒｅａｄｉｎｇ  ｆａｃｔｏｒ  ｓｅｑｕｅｎｃｅｓ）のためのソリューションは、以下に記述する。拡散シーケンスを有するプリアンブルの繰り返し構造を考慮すると、以下の属性が用いられる。
【手続補正１７】
【補正対象書類名】明細書
【補正対象項目名】００５９
【補正方法】変更
【補正の内容】
【００５９】
相関が実行されたターナリシーケンスの長さは、良好な処理利得を取得するために、十分に長くてもよい。
ただし、低電力通信におけるターナリシーケンスの長さは、メモリの過度な利用を引き起こす程度に長くてはならない。
本発明の一実施形態では、ターナリシーケンスの長さは、１６、３２、又は６４である。
ターナリシーケンスの長さが１６の場合と３２の場合のターナリシーケンスの設計方法は、同一であってもよい。
【手続補正１８】
【補正対象書類名】明細書
【補正対象項目名】００６０
【補正方法】変更
【補正の内容】
【００６０】
これは、アプローチに基づく探索を用いて確認することができる。
ターナリシーケンスの長さが６４の場合、ターナリシーケンスの長さが３２の場合と同一のターナリシーケンスの設計方法を用いると、探索空間が大きくなり、そのため、シーケンスの時間消費が大きくなり得る。
したがって、ターナリシーケンスの長さが６４の場合にはターナリシーケンスの設計方法が互いに異なってもよい。
【手続補正１９】
【補正対象書類名】明細書
【補正対象項目名】００８２
【補正方法】変更
【補正の内容】
【００８２】
ｂ．ＯＯＫ−４のためのマスキング機能Ｍ４は下記のように定義される。
2016538775.tif 000001
ここで、インデックスｉが７、９、１７、及び３０の場合、マスキング機能の構成要素は“−１”であり、残りのインデックスの場合、マスキング機能の構成要素は“１”である。
【手続補正２０】
【補正対象書類名】明細書
【補正対象項目名】０１３３
【補正方法】変更
【補正の内容】
【０１３３】
図７及び図８は、本発明の一実施形態に係るシーケンス生成器の一例を説明するためのものであり、図７は、本発明の一実施形態に係るシーケンス生成器を示すブロック図である。
図７を参照すると、シーケンス生成器７００は、第１のマッパ（第１のチップ値マッパ）７１０、モジュロＮ１カウンタ７１１、第２のマッパ（第２のチップ値マッパ）７２０、モジューロＮ２カウンタ７２１、及び積算演算器７３０を含む。
ここで、Ｎ１はユニポーラシーケンスの周期を示し、Ｎ２はバイポーラシーケンスの周期を示す。
【手続補正２１】
【補正対象書類名】明細書
【補正対象項目名】０１５０
【補正方法】変更
【補正の内容】
【０１５０】
第１のバイナリマッパ９１０は、プリアンブルの複数のビットに対して、プリアンブルの少なくとも１つのビットごとにユニポーラシーケンスをマッピングする。
第１のバイナリマッパ９１０は、少なくとも１つのビットごとに１周期のユニポーラシーケンスをマッピングする。
第１のバイナリマッパ９１０は、少なくとも１つのビットにユニポーラシーケンスの周期であるＮ１個の要素を割り当て、順次にインデックスを増加させながら各インデックスに該当する要素を少なくとも１つのビットにマッピングする。
ここで、第１のバイナリマッパ９１０は、モジュロＮ１カウンタ９１１をインデックスカウンタとして用いてユニポーラシーケンスを少なくとも１つのビットにマッピングする。
【手続補正２２】
【補正対象書類名】明細書
【補正対象項目名】０１５４
【補正方法】変更
【補正の内容】
【０１５４】
例えば、表１０００のように、Ｐ１は、Ｎｒｅｐが４に設定され、基本プリアンブルパターンは［１００１１００１１００１１００−１−１００１−１００１−１００１−１００−１］に設定され、Ｐ２はＮｒｅｐが８に設定されて、基本プリアンブルパターンは、［１０−１００−１０−１１０１００−１０１１０１００−１０１−１０１００１０１］に設定される。
送信機は、基本プリアンブルパターンからユニポーラシーケンス及びバイポーラシーケンスを抽出する。
送信機は、基本プリアンブルパターンの要素を絶対値に変換し、非コヒーレント受信機での等価基本プリアンブルパターンを抽出し、基本プリアンブルのパターンの要素のうちの“０”の要素を“１”の要素に変換してコヒーレント受信機での等価基本プリアンブルパターンを抽出する。
送信機は、非コヒーレント受信機での等価基本プリアンブルパターンからユニポーラシーケンスを抽出し、コヒーレント受信機での等価基本プリアンブルパターンからバイポーラシーケンスを抽出する。
【手続補正２３】
【補正対象書類名】明細書
【補正対象項目名】０１５７
【補正方法】変更
【補正の内容】
【０１５７】
基本プリアンブル抽出部１１１０は、プリアンブルのプリアンブルフォーマットによって基本プリアンブルパターンを抽出する。
ここで、基本プリアンブル抽出部１１１０は、表３６のＰ１プリアンブルフォーマット又はＰ２プリアンブルフォーマットのうちのいずれか１つのプリアンブルフォーマットによって、表３６から、基本プリアンブルパターン及び予め決定した繰り返し回数を抽出する。
【手続補正２４】
【補正対象書類名】図面
【補正対象項目名】図１
【補正方法】変更
【補正の内容】
【図１】
2016538775.tif 000002
【手続補正２５】
【補正対象書類名】図面
【補正対象項目名】図１０
【補正方法】変更
【補正の内容】
【図１０】
2016538775.tif 000003